(57)【要約】【課題】集積回路を備えるフレキシブル基板において、集積回路で処理される信号を好適にモニタリングする。【解決手段】フレキシブル基板は、基板本体（２００）と、基板本体上に配列された複数の配線（２３０）と、基板本体の端部に配列されており、複数の配線と夫々電気的に接続された複数の接続端子（２１０，２２０）と、基板本体上において、複数の配線の少なくとも一部と電気的に接続するように設けられた集積回路（２５０）と、基板本体上において、集積回路と電気的に接続するように設けられており、集積回路で処理される信号を出力可能である検査用電極（２６０）とを備える。【選択図】図４
2010223690.tif 000002
【特許請求の範囲】
【請求項１】
基板本体と、
前記基板本体上に配列された複数の配線と、
前記基板本体の端部に配列されており、前記複数の配線と夫々電気的に接続された複数の接続端子と、
前記基板本体上において、前記複数の配線の少なくとも一部と電気的に接続するように設けられた集積回路と、
前記基板本体上において、前記集積回路と電気的に接続するように設けられており、前記集積回路で処理される信号を出力可能である検査用電極と
を備えることを特徴とするフレキシブル基板。
【請求項２】
前記検査用電極は、前記複数の接続端子を介して前記集積回路に入力又は出力されない信号を出力することを特徴とする請求項１に記載のフレキシブル基板。
【請求項３】
前記検査用電極から前記集積回路で処理される信号を出力させるか否かを切替える第１切替手段を更に備えることを特徴とする請求項１又は２に記載のフレキシブル基板。
【請求項４】
前記検査用電極から出力させる信号の種類を切替える第２切替手段を更に備えることを特徴とする請求項１から３のいずれか一項に記載のフレキシブル基板。
【請求項５】
前記検査用電極から出力させる信号を増幅する増幅手段を更に備えることを特徴とする請求項１から４のいずれか一項に記載のフレキシブル基板。
【請求項６】
前記検査用電極は、前記複数の配線の各々よりも幅が広くなるように形成されていることを特徴とする請求項１から４に記載のフレキシブル基板。
【請求項７】
請求項１から６のいずれか一項に記載のフレキシブル基板と、
前記フレキシブル基板と前記接続端子を介して電気的に接続される電気光学パネルと
を備えることを特徴とする電気光学装置。
【請求項８】
請求項７に記載の電気光学装置を具備してなることを特徴とする電子機器。
【発明の詳細な説明】
【技術分野】
【０００１】
本発明は、例えば液晶装置等に接続されるフレキシブル基板、並びに該フレキシブル基板を備えた電気光学装置、及び該電気光学装置を備えた、例えば液晶プロジェクター等の電子機器の技術分野に関する。
【背景技術】
【０００２】
この種のフレキシブル基板として、例えば液晶パネルと外部の回路とを互いに電気的に接続するものがある。フレキシブル基板は、コンパクトに多くの配線を引き回せる、或いはコネクタ等によって簡単に接続を行えるなど、様々な利便性を有している。そして、このようなフレキシブル基板上には、フレキシブル基板と接続される液晶パネルを駆動するための集積回路が設けられる場合がある（例えば、特許文献１参照）。
【先行技術文献】
【特許文献】
【０００３】
【特許文献１】特開２００５−４３４１８号公報
【発明の概要】
【発明が解決しようとする課題】
【０００４】
フレキシブル基板上に設けられる集積回路の検査は、例えば集積回路で処理される信号をモニタリングすることによって行われる。しかしながら、仮に液晶パネル上に上述したような信号をモニタリングするための端子を設けようとすると、フレキシブル基板と液晶パネルとを接続する端子の数が増えてしまい、装置構成が複雑化してしまう。また、液晶パネル上に設けた端子では、集積回路の内部処理にのみ用いられる信号（即ち、フレキシブル基板の外部に出力されない信号）は、モニタリングすることができない。即ち、上述したような技術では、信号のモニタリングが好適に行えないおそれがあるという技術的問題点がある。
【０００５】
本発明は、例えば上述した問題点に鑑みなされたものであり、基板上に設けられた集積回路によって処理される信号を好適にモニタリング可能なフレキシブル基板、並びに電気光学装置及び電子機器を提供することを課題とする。
【課題を解決するための手段】
【０００６】
本発明のフレキシブル基板は上記課題を解決するために、基板本体と、前記基板本体上に配列された複数の配線と、前記基板本体の端部に配列されており、前記複数の配線と夫々電気的に接続された複数の接続端子と、前記基板本体上において、前記複数の配線の少なくとも一部と電気的に接続するように設けられた集積回路と、前記基板本体上において、前記集積回路と電気的に接続するように設けられており、前記集積回路で処理される信号を出力可能である検査用電極とを備える。
【０００７】
本発明のフレキシブル基板は、例えば折り曲げ可能な樹脂フィルム或いはプラスチックフィルム等からなる基板本体に、複数の配線が配列されてなる。複数の配線の各々には、フレキシブル基板に対して信号を入出力するための複数の接続端子が夫々電気的に接続されている。尚、複数の接続端子は、典型的には、一の配線の両端部分に設けられる。即ち、一つの配線に対して二つの接続端子が接続される。
【０００８】
また、フレキシブル基板上には、複数の配線に電気的に接続された集積回路が設けられている。但し、この集積回路は、複数の配線の全てに電気的に接続されていなくともよく、いずれかの配線に電気的に接続されていればよい。集積回路は、例えばフレキシブル基板が接続される電気光学パネル等を駆動するための駆動回路等を備えており、入力された信号に対し、変換、補正及び同期等の各種処理を施して出力する。
【０００９】
ここで本発明では特に、フレキシブル基板上に、上述した集積回路で処理される信号を出力可能である検査用電極が設けられている。尚、ここでの「集積回路で処理される信号」には、集積回路から複数の配線及び複数の接続端子を介してフレキシブル基板の外部に出力される信号だけでなく、集積回路の内部処理にだけ用いられるような信号も含まれる。
【００１０】
検査用電極は、例えばフレキシブル基板上において外部に露出するように設けられた電極であり、集積回路における一の端子から延びる配線（上述した「複数の配線」とは異なる配線）等によって、集積回路と電気的に接続されている。尚、このような検査用電極は、フレキシブル基板上に複数設けられていても構わない。また、検査用電極は、典型的には、フレキシブル基板における集積回路が配置される面に設けられるが、集積回路が配置される面とは異なる側の面に設けられていてもよい。検査用電極から出力される信号の読取は、例えば検査用電極に読取用のプローブ等を接触させて行う。
【００１１】
フレキシブル基板上に検査用電極を設けることで、同様の電極をフレキシブル基板の外部に設けずに済む。よって、フレキシブル基板における複数の接続端子の数を増加させずに済む。このような効果は、例えば小型化実現のため配線レイアウトや接続端子のピッチに制限がある場合等に、極めて顕著に発揮される。また、本発明では更に、例えば集積回路の内部処理だけに用いられる信号のような、フレキシブル基板の外部に出力されない信号もモニタリングできる。即ち、フレキシブル基板の外部に同様の検査端子を設けた場合ではモニタリングできない信号をモニタリングすることが可能である。
【００１２】
以上説明したように、本発明のフレキシブル基板によれば、フレキシブル基板上に設けられた集積回路によって処理される信号を、好適にモニタリングすることが可能となる。
【００１３】
本発明のフレキシブル基板の一態様では、前記検査用電極は、前記複数の接続端子を介して前記集積回路に入力又は出力されない信号を出力する。
【００１４】
この態様によれば、検査用電極からは、複数の接続端子を介して集積回路に入力又は出力されない信号（即ち、フレキシブル基板の外部から入力される信号以外の信号、又はフレキシブル基板の外部に出力される信号以外の信号）が出力される。検査用電極から出力される信号は、言い換えれば、フレキシブル基板が接続される装置の制御等に直接的に用いられない信号であり、例えば集積回路の内部処理にのみ使用される信号等が挙げられる。
【００１５】
本態様では、検査用電極を用いて、フレキシブル基板の外部ではモニタリングすることのできない信号をモニタリングできる。これに対し、仮にフレキシブル基板の外部に同様の検査端子を設けたとしても、上述したような信号はモニタリングできない。従って、本態様では、極めて好適に信号のモニタリングを行うことが可能である。
【００１６】
本発明のフレキシブル基板の他の態様では、前記検査用電極から前記集積回路で処理される信号を出力させるか否かを切替える第１切替手段を更に備える。
【００１７】
この態様によれば、第１切替手段によって、検査用電極から信号を出力させるか否か（言い換えれば、集積回路から検査用電極に信号を出力させるか否か）が切替えられる。よって、信号をモニタリングする際にのみ、検査用電極から信号を出力させるようにすれば、検査用電極における電力消費を低減させることができる。
【００１８】
尚、第１切替手段による信号切替動作は、手動で行われてもよいし、各種条件を予め設定することで自動的に行われてもよい。
【００１９】
本発明のフレキシブル基板の他の態様では、前記検査用電極から出力させる信号の種類を切替える第２切替手段を更に備える。
【００２０】
この態様によれば、第２切替手段によって、検査用電極から出力される信号の種類が切替えられるため、例えば検査用電極が１つしか設けられていない場合であっても、複数種類の信号を出力させることができる。即ち、検査用電極の数によらず、多くの信号を検査することができる。よって、フレキシブル基板上のスペースを効率的に活用することが可能となる。
【００２１】
尚、第２切替手段による信号切替動作は、手動で行われてもよいし、各種条件を予め設定することで自動的に行われてもよい。また、第２切替手段が、上述した第１切替手段の機能を併せ持つように構成してもよい。
【００２２】
本発明のフレキシブル基板の他の態様では、前記検査用電極から出力させる信号を増幅する増幅手段を更に備えることを特徴とする。
【００２３】
この態様によれば、例えばバッファ回路等の増幅手段によって、検査用電極から出力される信号が増幅されるため、振幅の小さい信号であっても、増幅させて振幅の大きい状態で出力することができる。これにより、単に出力されただけでは読取り難い信号であっても、確実に検査を行うことが可能となる。
【００２４】
尚、増幅手段は、集積回路の内部に設けられるようなものであってもよいし、集積回路及び検査用電極間に独立して設けられるようなものであってもよい。
【００２５】
本発明のフレキシブル基板の他の態様では、前記検査用電極は、前記複数の配線の各々よりも幅が広くなるように形成されている。
【００２６】
この態様によれば、検査用電極の幅が、複数の配線の幅より広くなるように形成されているため、例えばフレキシブル基板上で露出させた複数の配線から信号を読取る場合と比べて、検査用電極から信号を読取る方が容易である。具体的には、検査用電極に対して、読取用のプローブ等を接触させることが容易となる。従って、より好適に信号のモニタリングを行うことが可能となる。
【００２７】
尚、検査用電極の幅を大きくするだけでなく、検査用電極の形状を読取用のプローブ等に合わせるようにすれば、より容易に信号の読取りが行えるようになる。
【００２８】
本発明の電気光学装置は上記課題を解決するために、上述した本発明のフレキシブル基板（但し、その各種態様も含む）と、前記フレキシブル基板と前記接続端子を介して電気的に接続される電気光学パネルとを備える。
【００２９】
本発明の電気光学装置によれば、上述した本発明のフレキシブル基板が、接続端子を介して電気光学パネルに接続されている。フレキシブル基板上の集積回路は、例えば電気光学パネルの駆動の一部又は全部を行うものとして設けられている。
【００３０】
本発明では、上述したフレキシブル基板を備えてなるので、フレキシブル基板上の集積回路によって処理される信号を、好適にモニタリングすることが可能である。従って、より好適に電気光学装置を製造することができる。
【００３１】
本発明の電子機器は上記課題を解決するために、上述した本発明の電気光学装置を備える。
【００３２】
本発明の電子機器によれば、上述した本発明に係る電気光学装置を具備してなるので、製造が容易且つ信頼性の高い、投射型表示装置、テレビ、携帯電話、電子手帳、ワードプロセッサー、ビューファインダー型又はモニタ直視型のビデオテープレコーダー、ワークステーション、テレビ電話、ＰＯＳ端末、タッチパネルなどの各種電子機器を実現できる。また、本発明の電子機器として、例えば電子ペーパーなどの電気泳動装置等も実現することも可能である。
【００３３】
本発明の作用及び他の利得は次に説明する発明を実施するための形態から明らかにされる。
【図面の簡単な説明】
【００３４】
【図１】本実施形態に係る電気光学パネルの構成を示す平面図である。
【図２】図１のＨ−Ｈ´線断面図である。
【図３】本実施形態に係る電気光学パネルの画像表示領域を構成する各種素子、配線等を示す等価回路図である。
【図４】本実施形態に係る電気光学装置の全体構成を示す斜視図である。
【図５】検査用電極から出力される信号の読取り方法を示す側面図である。
【図６】検査用電極及び配線の幅を示す平面図である。
【図７】集積回路の具体的な構成を示すブロック図である。
【図８】電気光学装置を適用した電子機器の一例たるプロジェクターの構成を示す平面図である。
【発明を実施するための形態】
【００３５】
以下では、本発明の実施形態について図を参照しつつ説明する。
【００３６】
＜電気光学装置＞
先ず、本発明のフレキシブル基板が接続されてなる電気光学装置について、図１から図４を参照して説明する。尚、以下の実施形態では、本発明の電気光学装置の一例である駆動回路内蔵型のＴＦＴ（Thin Film Transistor）アクティブマトリクス駆動方式の液晶装置を例にとる。
【００３７】
本実施形態に係る電気光学装置に含まれる電気光学パネルの構成について、図１及び図２を参照して説明する。ここに図１は、本実施形態に係る電気光学パネルの構成を示す平面図であり、図２は、図１のＨ−Ｈ´線断面図である。
【００３８】
図１及び図２において、本実施形態に係る電気光学パネル１００では、ＴＦＴアレイ基板１０と対向基板２０とが対向配置されている。ＴＦＴアレイ基板１０は、例えば石英基板、ガラス基板等の透明基板や、シリコン基板等である。対向基板２０は、例えば石英基板、ガラス基板等の透明基板である。ＴＦＴアレイ基板１０と対向基板２０との間には、液晶層５０が封入されている。液晶層５０は、例えば一種又は数種類のネマティック液晶を混合した液晶からなり、一対の配向膜間で所定の配向状態をとる。
【００３９】
ＴＦＴアレイ基板１０と対向基板２０とは、複数の画素電極が設けられた画像表示領域１０ａの周囲に位置するシール領域に設けられたシール材５２により、相互に接着されている。
【００４０】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（即ち、基板間ギャップ）を所定値とするためのグラスファイバー或いはガラスビーズ等のギャップ材が散布されている。尚、ギャップ材を、シール材５２に混入されるものに加えて若しくは代えて、画像表示領域１０ａ又は画像表示領域１０ａの周辺に位置する周辺領域に、配置するようにしてもよい。
【００４１】
シール材５２が配置されたシール領域の内側に並行して、画像表示領域１０ａの額縁領域を規定する遮光性の額縁遮光膜５３が、対向基板２０側に設けられている。尚、このような額縁遮光膜５３の一部又は全部は、ＴＦＴアレイ基板１０側に内蔵遮光膜として設けられてもよい。
【００４２】
周辺領域のうち、シール材５２が配置されたシール領域の外側に位置する領域には、データ線駆動回路１０１及び外部回路接続端子１０２がＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。
【００４３】
ＴＦＴアレイ基板１０上における対向基板２０の４つのコーナー部に対向する領域には、両基板間を上下導通材１０７で接続するための上下導通端子１０６が配置されている。これらにより、ＴＦＴアレイ基板１０と対向基板２０との間で電気的な導通をとることができる。
【００４４】
図２において、ＴＦＴアレイ基板１０上には、駆動素子である画素スイッチング用のＴＦＴや走査線、データ線等の配線が作り込まれた積層構造が形成される。この積層構造の詳細な構成については図２では図示を省略してあるが、この積層構造の上に、ＩＴＯ（Indium Tin Oxide）等の透明材料からなる画素電極９ａが、画素毎に所定のパターンで島状に形成されている。
【００４５】
画素電極９ａは、対向電極２１に対向するように、ＴＦＴアレイ基板１０上の画像表示領域１０ａに形成されている。ＴＦＴアレイ基板１０における液晶層５０の面する側の表面、即ち画素電極９ａ上には、配向膜１６が画素電極９ａを覆うように形成されている。
【００４６】
対向基板２０におけるＴＦＴアレイ基板１０との対向面上には、遮光膜２３が形成されている。遮光膜２３は、例えば対向基板２０における対向面上に平面的に見て、格子状に形成されている。対向基板２０において、遮光膜２３によって非開口領域が規定され、遮光膜２３によって区切られた領域が、例えばプロジェクター用のランプや直視用のバックライトから出射された光を透過させる開口領域となる。尚、遮光膜２３をストライプ状に形成し、該遮光膜２３と、ＴＦＴアレイ基板１０側に設けられたデータ線等の各種構成要素とによって、非開口領域を規定するようにしてもよい。
【００４７】
遮光膜２３上には、ＩＴＯ等の透明材料からなる対向電極２１が複数の画素電極９ａと対向するように形成されている。また遮光膜２３上には、画像表示領域１０ａにおいてカラー表示を行うために、開口領域及び非開口領域の一部を含む領域に、図２には図示しないカラーフィルターが形成されるようにしてもよい。対向基板２０の対向面上における、対向電極２１上には、配向膜２２が形成されている。
【００４８】
尚、図１及び図２に示したＴＦＴアレイ基板１０上には、上述したデータ線駆動回路１０１、走査線駆動回路１０４等の駆動回路に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学パネル１００の品質、欠陥等を検査するための検査回路等を形成してもよい。
【００４９】
次に、本実施形態に係る電気光学パネルの画素部の電気的な構成について、図３を参照して説明する。ここに図３は、本実施形態に係る電気光学パネルの画像表示領域を構成するマトリクス状に形成された複数の画素における各種素子、配線等の等価回路図である。
【００５０】
図３において、画像表示領域１０ａを構成するマトリクス状に形成された複数の画素の各々には、画素電極９ａ及びＴＦＴ３０が形成されている。ＴＦＴ３０は、画素電極９ａに電気的に接続されており、本実施形態に係る電気光学パネル１００の動作時に画素電極９ａをスイッチング制御する。画像信号が供給されるデータ線６ａは、ＴＦＴ３０のソースに電気的に接続されている。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００５１】
ＴＦＴ３０のゲートには、走査線３ａが電気的に接続されており、本実施形態に係る電気光学パネル１００は、所定のタイミングで、走査線３ａにパルス的に走査信号Ｇ１、Ｇ２、・・・、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、・・・、Ｓｎが所定のタイミングで書き込まれる。画素電極９ａを介して電気光学物質の一例としての液晶に書き込まれた所定レベルの画像信号Ｓ１、Ｓ２、・・・、Ｓｎは、対向基板に形成された対向電極との間で一定期間保持される。
【００５２】
液晶層５０（図２参照）を構成する液晶は、印加される電圧レベルにより分子集合の配向や秩序が変化することにより、光を変調し、階調表示を可能とする。例えば、ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として電気光学装置からは画像信号に応じたコントラストをもつ光が出射される。
【００５３】
ここで保持された画像信号がリークすることを防ぐために、画素電極９ａと対向電極２１（図２参照）との間に形成される液晶容量と並列に蓄積容量７０が付加されている。蓄積容量７０は、画像信号の供給に応じて各画素電極９ａの電位を一時的に保持する保持容量として機能する容量素子である。蓄積容量７０の一方の電極は、画素電極９ａと並列してＴＦＴ３０のドレインに電気的に接続され、他方の電極は、定電位となるように、電位固定の容量線３００に電気的に接続されている。蓄積容量７０によれば、画素電極９ａにおける電位保持特性が向上し、コントラスト向上やフリッカーの低減といった表示特性の向上が可能となる。
【００５４】
次に、上述した電気光学パネルにフレキシブル基板が接続されてなる電気光学装置の全体構成について、図４を参照して説明する。ここに図４は、本実施形態に係る電気光学装置の全体構成を示す斜視図である。尚、図４では、図１及び図２において示した電気光学パネル１００における詳細な部材を、適宜省略して図示してある。
【００５５】
図４において、本実施形態に係る電気光学装置は、電気光学パネル１００と、フレキシブル基板２００とを備えて構成されている。
【００５６】
電気光学パネル１００における外部回路接続端子１０２には、フレキシブル基板２００の接続端子２１０が電気的に接続されている。外部回路接続端子１０２と、接続端子２１０との接続には、例えば熱圧着等が用いられる。
【００５７】
フレキシブル基板２００から見て電気光学パネル１００の反対側には、外部の回路基板４００が電気的に接続されている。フレキシブル基板及び回路基板４００は、フレキシブル基板２００の接続端子２２０が、回路基板４００に設けられたコネクタ４１０に嵌合されることによって接続される。
【００５８】
電気光学装置の動作時には、回路基板４００から供給される画像信号等の信号が、フレキシブル基板２００を介して、電気光学パネル１００に入力される。フレキシブル基板２００の詳細な構成及び動作については、以下で詳述する。
【００５９】
＜フレキシブル基板＞
次に、本実施形態に係るフレキシブル基板について、図４に加えて、図５から図７を参照して説明する。
【００６０】
図４において、本実施形態に係るフレキシブル基板２００は、両端に接続端子２１０及び２２０を夫々有している。更に、フレキシブル基板２００上には、例えばＴＡＢ（Tape Automated Bonding）技術等を用いて集積回路２５０が設けられている。集積回路２５０は、電気光学装置の駆動回路として構築されており、例えばフレキシブル基板２００に入力された画像信号に対して、各種補正や変換等の処理を施して出力する。また、上述した電気光学パネル１００に内蔵されるデータ線駆動回路１０１や走査線駆動回路１０４等を含んで構築されてもよい。
【００６１】
ここで本実施形態では特に、フレキシブル基板２００上には、集積回路２５０において処理される信号をモニタリングするための検査用電極２６０が設けられている。尚、ここでは検査用電極２６０が、フレキシブル基板２００上に１つだけ設けられる場合について図示してあるが、複数設けられていても構わない。また、検査用電極２６０は、集積回路２５０が配置される面とは異なる側の面に設けられていてもよい。
【００６２】
続いて、上述した検査用電極の具体的な機能について、図５から図７を参照して説明する。ここに図５は、検査用電極から出力される信号の読取り方法を示す側面図であり、図６は、検査用電極及び配線の幅を示す平面図である。また図７は、集積回路の具体的な構成を示すブロック図である。尚、図５及び図６では、各部材の縮尺を適宜変更して図示してある。
【００６３】
図５において、検査用電極２６０は、フレキシブル基板２００の表面に露出するように設けられている。そして、検査用電極２６０から出力される信号の読取は、例えば図に示すような読取用のプローブ５００を、検査用電極２６０に接触させて行う。尚、検査用電極２６０は、図に示すように凸部として設けられる必要はなく、信号を外部に出力できるような形状であれば、様々な形状とすることができる。
【００６４】
検査用電極２６０は、例えば電気光学装置の駆動するためのクロック信号、スタート信号、タイミング信号等を出力することが可能とされている。また、集積回路２５０の内部処理だけに用いられる信号（即ち、フレキシブル基板２００の外部に出力されない信号）を出力できるように構成してもよい。フレキシブル基板２００の外部に出力されない信号は、例えば電気光学パネル１００や回路基板４００（図４参照）上に同様の検査端子を設けたとしても、モニタリングすることができない。このため、上述したような内部処理に用いられる信号を出力可能とする場合は特に、検査用電極２６０の機能を効果的に発揮させることができる。
【００６５】
図６において、本実施形態に係る検査用電極２６０は、フレキシブル基板上に設けられた配線２３０の各々より、幅が広くなるように形成されている。即ち、検査用電極２６０の幅Ｗ１は、配線２３０の幅Ｗ２より大きい。このような検査用電極２６０によれば、例えばフレキシブル基板２００上で露出させた配線２３０から信号を読取る場合と比べて、より容易に信号を読取ることができる。即ち、図５に示した読取用のプローブ５００等を、検査用電極２６０に接触させることが容易となる。従って、より好適に信号のモニタリングを行うことが可能となる。
【００６６】
尚、検査用電極２６０の幅を大きくするだけでなく、検査用電極２６０の形状を読取用のプローブ５００等に合わせるようにすれば、より容易に信号の読取りが行えるようになる。
【００６７】
図７において、フレキシブル基板２００上に設けられる集積回路２５０には、処理部２５１と、信号選択部２５２と、増幅回路２５３と、レジスタ２５４とが備えられている。
【００６８】
処理部２５１は、集積回路における主要な部分を構成しており、電気光学装置を駆動するために、入力された信号に対して各種処理を施して外部へと出力する。また、検査用電極２６０に出力する信号を、信号選択部２５２に出力可能に構成されている。
【００６９】
信号選択部２５２は、処理部２５１から入力される複数の信号から１つを選択し、後段の増幅回路へと出力する。また、全ての信号を選択しないことによって、信号を出力しないようにすることも可能とされている。即ち、信号選択部２５２は、本発明の「第１切替手段」及び「第２切替え手段」の一例である。
【００７０】
増幅回路２５３は、本発明の「増幅手段」の一例であり、信号選択部２５２から入力された信号を、増幅してから検査用電極２６０に出力する。増幅回路２５３が設けられていることにより、振幅の小さい信号であっても、増幅させて振幅の大きい状態で出力することができる。これにより、単に出力されただけでは読取り難い信号であっても、確実に検査を行うことが可能となる。
【００７１】
レジスタ２５４は、集積回路２５０における様々な設定値を記憶する記憶素子であり、記憶する設定値は外部から書換可能とされている。レジスタ２５４は、記憶された設定値に基づき、信号選択部２５４に対して、どの信号を選択するかという信号を伝達する。即ち、ここでのレジスタ２５４は、信号選択部を制御する制御部ともよぶことができる。
【００７２】
以上説明したように、本実施形態に係るフレキシブル基板２００によれば、フレキシブル基板２００上に設けられた集積回路２５０によって処理される信号を、好適にモニタリングすることが可能となる。従って、集積回路２５０の検査を好適に行うことができ、極めて容易に信頼性の高い装置を製造することが可能である。
【００７３】
＜電子機器＞
次に、上述したフレキシブル基板を備える電気光学装置を各種の電子機器に適用する場合について説明する。ここに図８は、プロジェクターの構成例を示す平面図である。以下では、電気光学装置の一例である液晶装置をライトバルブとして用いたプロジェクターについて説明する。
【００７４】
図８に示されるように、プロジェクター１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【００７５】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【００７６】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【００７７】
尚、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルターを設ける必要はない。
【００７８】
尚、図８を参照して説明した電子機器の他にも、モバイル型のパーソナルコンピュータや、携帯電話、液晶テレビや、ビューファインダー型、モニタ直視型のビデオテープレコーダー、カーナビゲーション装置、ページャー、電子手帳、電卓、ワードプロセッサー、ワークステーション、テレビ電話、ＰＯＳ端末、タッチパネルを備えた装置等が挙げられる。そして、これらの各種電子機器に適用可能なのは言うまでもない。
【００７９】
また、本発明は上述の各実施形態で説明した液晶装置以外にも反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【００８０】
本発明は、上述した実施形態に限られるものではなく、特許請求の範囲及び明細書全体から読み取れる発明の要旨或いは思想に反しない範囲で適宜変更可能であり、そのような変更を伴うフレキシブル基板、並びに電気光学装置及び電子機器もまた本発明の技術的範囲に含まれるものである。
【符号の説明】
【００８１】
３ａ…走査線、６ａ…データ線、９ａ…画素電極、１０…ＴＦＴアレイ基板、１０ａ…画像表示領域、２０…対向基板、３０…ＴＦＴ、５０…液晶層、１００…電気光学パネル、１０１…データ線駆動回路、１０２…外部回路接続端子、１０４…走査線駆動回路、２００…フレキシブル基板、２１０，２２０…接続端子、２３０…配線、２５０…集積回路、２５１…処理部、２５２…信号選択部、２５３…増幅回路、２５４…レジスタ、２６０…検査用電極、４００…回路基板、４１０…コネクタ、５００…プローブ
【図１】
2010223690.tif 000003
【図２】
2010223690.tif 000004
【図３】
2010223690.tif 000005
【図４】
2010223690.tif 000006
【図５】
2010223690.tif 000007
【図６】
2010223690.tif 000008
【図７】
2010223690.tif 000009
【図８】
2010223690.tif 000010